(57)【要約】      （修正有）【課題】購入者が空港等で再度検疫を受けることなく購入した花卉を手荷物として日本国内から出国することができる容器及び販売システムを提供する。【解決手段】国外に物品１０を持ち出すための容器１であって、物品１０を載置可能な台座２と、下方を開放する箱体３と、台座２と箱体３とを連結する連結部材４と、を備え、箱体３は、台座２を上方から被覆することにより内部に収容空間Ｓを形成し、連結部材４は、台座２から上方に延び収納空間Ｓの内側を通って箱体３に設けられる孔部から外側に延出し、箱体３と台座２との離間を規制する規制部を有する。【選択図】図１
2018047937.tif 000002
【特許請求の範囲】
【請求項１】
国外に物品を持ち出すための容器であって、
物品を載置可能な台座と、下方を開放する箱体と、前記台座と前記箱体とを連結する連結部材と、を備え、
前記箱体は、前記台座を上方から被覆することにより内部に収容空間を形成し、
前記連結部材は、前記台座から上方に延び前記収納空間の内側を通って前記箱体に設けられる孔部から外側に延出し、前記箱体と前記台座との離間を規制する規制部を有することを特徴とする容器。
【請求項２】
前記連結部材は、前記台座に固定される固定部を有することを特徴とする請求項１に記載の容器。
【請求項３】
前記連結部材は、前記箱体に設けられる２つの前記孔部から外側にそれぞれ延出させた端部同士を前記箱体の上方で連結させることを特徴とする請求項２に記載の容器。
【請求項４】
前記台座は、孔部が設けられており、該孔部に通した結束バンドにより前記物品が前記台座に固定されることを特徴とする請求項１及び２に記載の容器。
【請求項５】
前記規制部は、熱変形可能な素材から構成されていることを特徴とする請求項１ないし４のいずれかに記載の容器。
【請求項６】
植物等輸出検査に合格した花卉が収容される容器と、前記花卉に対応する植物検査合格証明書とを合わせて販売することを特徴とする販売システム。
【請求項７】
前記容器の少なくとも一部は、透明素材からなることを特徴とする請求項６に記載の販売システム。
【発明の詳細な説明】
【技術分野】
【０００１】
本発明は、物品を国外へ持ち出す際に使用する容器及び販売システムに関する。
【背景技術】
【０００２】
従来、渡航者が手荷物とともに出入国する際には、手荷物の内容物に応じて、対象となる法律や規則等に従った検査や手続き等を行う必要がある。このような検査や手続き等が必要なものとしては、例えば盆栽等の花卉がある。
【０００３】
例えば、日本国内からＥＵ諸国へ出国する際に手荷物として花卉を持ち出すためには、事前に日本国内の植物防疫所において植物等輸出検査を受検する必要がある。この植物等輸出検査に合格した花卉は、容器に収容された後、専用のシール材を用いて容器の開閉部分を封印される（例えば、非特許文献１参照）。
【先行技術文献】
【非特許文献】
【０００４】
【非特許文献１】日本産花き輸出マニュアル  財団法人日本花普及センター  平成２０年３月、（第２９頁）
【発明の概要】
【発明が解決しようとする課題】
【０００５】
容器の開閉部分を封印するシール材は、開封時に剥がしやすくするために弱粘着性のものが用いられている。そのため、例えばシール材を一度剥離して容器を開封し、植物等輸出検査に合格していない盆栽等に中身を差し替えた後、シール材を貼り直す等の不正が行われた場合であっても、容器が開封されたか否かを判別できない虞があり、空港等では、花卉を手荷物として日本国内から出国するためには、購入者に再度検疫を受けさせる必要があった。
【０００６】
本発明は、このような問題点に着目してなされたもので、購入者が空港等で再度検疫を受けることなく購入した花卉を手荷物として日本国内から出国することができる容器及び販売システムを提供することを目的とする。
【課題を解決するための手段】
【０００７】
前記課題を解決するために、本発明の容器は、
国外に物品を持ち出すための容器であって、
物品を載置可能な台座と、下方を開放する箱体と、前記台座と前記箱体とを連結する連結部材と、を備え、
前記箱体は、前記台座を上方から被覆することにより内部に収容空間を形成し、
前記連結部材は、前記台座から上方に延び前記収納空間の内側を通って前記箱体に設けられる孔部から外側に延出し、前記箱体と前記台座との離間を規制する規制部を有することを特徴としている。
この特徴によれば、箱体の外側に延出させた連結部材の規制部が孔部を通して箱体の内部に入らない構造とすることにより、容器を開封するためには、規制部を除去、あるいは変形等させて孔部から箱体の内部に通す必要があるため、連結部材の破損状態や規制部の形状を確認するだけで容器が開封されたか否かを容易に判別できるため、購入者は空港等で再度検疫を受けることなく購入した花卉を手荷物として日本国内から出国することができる。
【０００８】
前記連結部材は、前記台座に固定される固定部を有することを特徴としている。
この特徴によれば、連結部材が台座に固定されることにより、箱体の外側に延出する連結部材の規制部の位置移動が防止され、容器の上方側から連結部材の規制部の破損状態や形状を目視しやすい。
【０００９】
前記連結部材は、前記箱体に設けられる２つの前記孔部から外側にそれぞれ延出させた端部同士を前記箱体の上方で連結させることを特徴としている。
この特徴によれば、箱体の上方で規制部同士を連結させて環状を成した連結部材を把持することにより、容器を持ち運ぶことができる。
【００１０】
前記台座は、孔部が設けられており、該孔部に通した結束バンドにより前記物品が前記台座に固定されることを特徴としている。
この特徴によれば、台座に物品を固定することにより、物品の不測の動きを防止できるとともに、物品の荷重が台座の所定位置に集中する容器の持ち運びの際にバランスを取りやすい。
【００１１】
前記規制部は、熱変形可能な素材から構成されていることを特徴としている。
この特徴によれば、規制部を不可逆的に熱変形させて溶着することにより、連結部材の連結を解除するためには、規制部を分断する必要が生じ、容器を開封した痕跡を確実に確認することができる。
【００１２】
前記課題を解決するために、本発明の販売システムは、
植物等輸出検査に合格した花卉が収容される容器と、前記花卉に対応する植物検査合格証明書とを合わせて販売することを特徴としている。
この特徴によれば、植物等輸出検査に合格した花卉が収容される容器と当該花卉に対応する植物検査合格証明書とが合わせて販売されることにより、購入者は、空港等で再度検疫を受けることなく購入した花卉を手荷物として日本国内から出国することができる。
【００１３】
前記容器の少なくとも一部は、透明素材からなることを特徴としている。
容器の一部が透明素材であることにより、容器の内部に収容された花卉の枝ぶり等の鑑賞箇所を容器の外側から確認することができ、購入者の購買意欲を高めることができる。
【図面の簡単な説明】
【００１４】
【図１】実施例１における容器に盆栽が収容・封印された状態を示す斜視図である。
【図２】（ａ）は、実施例１における容器の箱体の構造を示す斜視図であり、（ｂ）は、同じく容器の台座の構造を示す斜視図である。
【図３】（ａ）〜（ｄ）は、実施例１における連結部材による台座と箱体との連結手順を示す模式図である。
【図４】実施例１における容器の持ち運び方法の一例を示す斜視図である。
【図５】実施例２における容器に盆栽が収容・封印された状態を示す斜視図である。
【図６】（ａ）は、実施例２における容器の箱体の構造を示す斜視図であり、（ｂ）は、同じく容器の台座の構造を示す斜視図である。
【図７】（ａ）〜（ｄ）は、実施例２における連結部材による台座と箱体との連結手順を示す模式図である。
【発明を実施するための形態】
【００１５】
本発明に係る容器及び販売システムを実施するための形態を実施例に基づいて以下に説明する。
【実施例１】
【００１６】
日本国内から諸外国へ花卉を持ち出す場合、持ち出し先の諸外国が植物検査合格証明書の添付を要求している花卉に関しては、日本国内の植物防疫所等において植物等輸出検査（以下、「輸出検査」と表記する）を受ける必要がある。尚、日本国内からＥＵ諸国に対して盆栽を輸出する場合には、輸入許可証の交付を受けた販売業者や栽培地検査に合格した栽培地において管理・栽培された盆栽のみがＥＵ諸国を対象とした輸出検査を受けることができる。
【００１７】
輸出検査において、花卉から検疫病害虫が検出されなければ、植物検査合格証明書の発給を受けることができる。輸出検査に合格した花卉は、検査官の立ち会いの下で容器に収容される。また、盆栽の場合には、輸出検査において、栽培土の消毒や入れ替えが行われ、検査官の立ち会いの下で容器に収容された後、植物防疫所から支給されるシール材を容器の開閉部分に貼り付けることによって容器の封印が行われる。尚、輸出検査に合格した花卉が収容される容器には、開閉部分を閉塞できる任意の容器が使用される。
【００１８】
空港の売店や百貨店等において、事前に輸出検査に合格した花卉が収容された容器と、当該花卉に対応する植物検査合格証明書と合わせて販売する販売システムを採ることにより、植物検査合格証明書の発給から所定期間以内（例えば、ＥＵ諸国を対象とする場合は１４日間以内）、且つ、花卉が収容された容器の封印状態が維持されているものであれば、花卉の購入者は、空港や港等の輸出植物検疫カウンターにおいて再度検疫（輸出検査）を受けることなく購入した花卉を手荷物として日本国内から出国することができる。
【００１９】
尚、一度、日本国内から諸外国に持ち出された花卉であっても、植物検査合格証明書の発給から所定期間以内、且つ、花卉が収容された容器が開封されていないものであれば、入国時に空港や港等の輸出植物検疫カウンターにおいて再度検疫を受けることなく日国内に持ち込むことができる。
【００２０】
上記した輸出検査に合格した花卉を収容するために用いられる容器として好ましい態様を実施例１として図１から図４を参照して説明する。以下、図１の紙面右下側を容器の正面側（前方側）とし、図１の紙面左上側を容器の背面側（後方側）とし、その前方側から見たときの上下左右方向を基準として説明する。尚、本実施例においては、容器１に輸出検査に合格した盆栽１０を収容する場合を例に挙げて説明する。
【００２１】
図１に示されるように、本実施例の容器１は、略直方体状を成し、盆栽１０を載置可能な載置部２２を有する台座２と、下方を開放する箱体３と、台座２と箱体３とを連結する連結部材４と、から主に構成され、内部（台座２と箱体３との間）に形成される収容空間Ｓに盆栽１０を収容可能となっている。
【００２２】
図２（ａ）に示されるように、箱体３は、無色透明のアクリル樹脂製であり、箱体３の上面に相当する天井部３１と、該天井部３１における左右の短尺辺から略鉛直下方に延びる左右一対の第１側部３２，３２と、天井部３１における前後の長尺辺から略鉛直下方に延びる前後一対の第２側部３３，３３と、から構成され、略直方体状を成し、内部は中空に形成されている。
【００２３】
また、箱体３の下方側には、第１側部３２，３２及び第２側部３３，３３の下端縁に囲まれる開口３４が形成され、該開口３４を介して箱体３の内部にアクセス可能となっている。
【００２４】
天井部３１には、上下方向に貫通する左右一対の孔部３１ａ，３１ａが穿設されている。孔部３１ａ，３１ａは、略長方形状を成し、天井部３１の左右の短尺辺の近傍にそれぞれ設けられ、箱体３の内部に連通している。
【００２５】
図２（ｂ）に示されるように、台座２は、ポリプロピレン樹脂製であり、平板状の基台部２１と、該基台部２１の上面２１ａから上方に突出する上面視長方形状の載置部２２と、から主に構成され、側面視凸型を成している。また、基台部２１は、箱体３の開口３４の周縁（第１側部３２，３２及び第２側部３３，３３の下端縁）と略同一寸法となるように構成されており、台座２によって箱体３の開口３４を閉塞可能となっている。
【００２６】
基台部２１は、台座２によって箱体３の開口３４が閉塞された状態において、箱体３を構成する第１側部３２，３２の外側面３２ａ，３２ａ及び第２側部３３，３３の外側面３３ａ，３３ａとそれぞれ略面一となる第１側面２１ｂ，２１ｂ及び第２側面２１ｃ，２１ｃを有している。
【００２７】
載置部２２は、上面に相当する載置面２２ａに盆栽１０を載置可能となっており、箱体３の開口３４よりも僅かに小さい寸法となるように構成されている。これによれば、台座２によって箱体３の開口３４が閉塞された状態において、箱体３を構成する第１側部３２，３２の内側面３２ｂ，３２ｂ及び第２側部３３，３３の内側面３３ｂ，３３ｂの下端部と、載置部２２の第１側面２２ｂ，２２ｂ及び第２側面２２ｃ，２２ｃとがそれぞれ摺接するようになっている。そのため、台座２の載置部２２を箱体３の開口３４に嵌め込むことにより、箱体３の開口３４を容易に閉塞することができる。また、容器１を開封するためには、少なくとも上下方向に台座２と箱体３とを離間させる必要がある。
【００２８】
また、台座２により箱体３の開口３４が閉塞された状態において、箱体３を構成する第１側部３２，３２の外側面３２ａ，３２ａと基台部２１の第１側面２１ｂ，２１ｂとの間に形成される継目（容器１の開閉部分）には、それぞれ弱粘着性のシール材５，５が貼り付けられている（図１参照）。尚、前述したように、シール材５，５は、植物防疫所から支給され、輸出検査に合格した盆栽１０を容器１に収容させ閉塞したことを示すために容器１の開閉部分に貼り付けられる。
【００２９】
また、載置部２２には、載置面２２ａの略中央に前後一対の孔部２２ｄ，２２ｄが穿設されている（図２（ｂ）参照）。孔部２２ｄ，２２ｄには、結束バンド６が挿通可能となっており、載置面２２ａ上に載置される盆栽１０を孔部２２ｄ，２２ｄに挿通された結束バンド６で括り付けることにより、載置部２２に対して盆栽１０を固定することができる（図１参照）。これによれば、載置部２２の載置面２２ａ上に載置される盆栽１０の不測の動きを防止することができる。
【００３０】
図２（ｂ）に示されるように、連結部材４は、ポリプロピレン樹脂製で一方の面（内向きの面）に所定間隔置きに凸部４０，４０，…が形成された所謂、結束バンドであり、正面視略Ｕ字状に屈曲させた状態で台座２と一体になるように固定されている。
【００３１】
また、連結部材４は、他方の面（外向きの面）を載置部２２の載置面２２ａ上に熱溶着により固定される固定部４１と、該固定部４１の左端側から上方に延び先端に係止部４４が設けられる係止端部４２と、固定部４１の右端側から上方に延び先端が略三角形状を成す挿通端部４３と、から主に構成されている。
【００３２】
尚、係止端部４２及び挿通端部４３の上下方向の寸法は、箱体３の上下方向の寸法よりも長くなるように構成されており、台座２によって箱体３の開口３４が閉塞された状態において、係止端部４２及び挿通端部４３の先端は、それぞれ箱体３の天井部３１に穿設された孔部３１ａ，３１ａを介して箱体３の外側に突出するようになっている（図３（ａ）参照）。
【００３３】
係止端部４２の先端に設けられる係止部４４は、略直方体状を成し、連結部材４の延伸方向に向けて貫通する孔部４４ａを有しており、孔部４４ａの内側には、前述した連結部材４の凸部４０，４０，…と係止可能な図示しない係止片が設けられている。これによれば、図３（ｂ）に示されるように、係止部４４の孔部４４ａに挿通端部４３の先端を挿通することにより、係止部４４の内部に設けられる図示しない係止片に挿通端部４３側の凸部４０，４０，…が係止され、係止端部４２と挿通端部４３とが連結された状態において、係止部４４の孔部４４ａから挿通端部４３が抜け出さない構造となっている。
【００３４】
次いで、連結部材４を用いた台座２と箱体３との連結手順について図３を用いて詳しく説明する。
【００３５】
先ず、図３（ａ）に示されるように、台座２によって箱体３の開口３４を閉塞する際に、連結部材４の係止端部４２及び挿通端部４３の先端を箱体３の天井部３１に形成された孔部３１ａ，３１ａにそれぞれ挿通させ、箱体３の天井部３１の上方に突出させる。
【００３６】
次に、図３（ｂ）に示されるように、係止端部４２の先端に設けられる係止部４４の孔部４４ａに挿通端部４３の先端を挿通させることにより、係止端部４２と挿通端部４３とを連結させ、連結部材４全体を環状とすることができる。後に詳述するが、連結部材４において箱体３の外側に露出する部分が規制部Ｒとして機能する。
【００３７】
また、箱体３を上下から締め付けるように環状を成す連結部材４は、挿通端部４３を係止部４４の係止部４４に差し込む量を増やすことで、その内径を減径させることにより、連結部材４の下方において、固定部４１によって連結部材４と一体に固定される台座２を上方に引き上げる力が作用するとともに、連結部材４の上方において、箱体３の上方（外側）に露出する規制部Ｒによって箱体３を下方（台座２側）に押し付ける力が作用するようになっている。すなわち、台座２と箱体３とが相対的に近接せしめられるため、連結部材４によって台座２と箱体３との上下方向への離間を規制して、容器１が閉塞された状態を維持することができる。
【００３８】
次に、図３（ｃ）に示されるように、箱体３の天井部３１に形成された孔部３１ａ，３１ａから外側に露出する連結部材４の係止部４４を高温のコテ７により上下から挟み込むことにより、係止部４４と係止部４４内に位置する部分の挿通端部４３とが不可逆的に熱変形し、係止端部４２と挿通端部４３とが一体に溶着される（図３（ｄ）参照）。
【００３９】
以上説明したように、本実施例における容器１は、箱体３の外側に延出させた連結部材４の係止端部４２及び挿通端部４３が連結されることにより、２つの孔部３１ａ，３１ａから箱体３の外側に露出する連結部材４の端部同士が無端状を成し、連結部材４が孔部３１ａ，３１ａから抜け出し不可となるとともに、箱体３の外側に露出する連結部材４によって箱体３を台座２側に押し付けることにより台座２と箱体３との上下方向への離間を規制することができるため、連結部材４において箱体３の外側に露出する部分が規制部Ｒとして機能する。
【００４０】
さらに、連結部材４の係止部４４を不可逆的に熱変形させ係止端部４２及び挿通端部４３を一体に溶着することにより、容器１を開封するには、箱体３の外側に露出する規制部Ｒを分断して連結部材４の連結を解除する必要があるため、容器１を開封した痕跡を連結部材４に残すことができ、連結部材４の破損状態に基づいて容器１が開封されたか否かを容易に判別できる。
【００４１】
また、連結部材４は、台座２の載置面２２ａ上において固定部４１により固定されており、箱体３の外側に延出する連結部材４の規制部Ｒの位置移動が防止されるため、容器１の外側から連結部材４にアクセスできる部分が規制部Ｒに限定され、容器１の上方側から連結部材４の規制部Ｒの破損状態や形状を目視しやすい。
【００４２】
このような容器１を用いて盆栽１０等の花卉を販売することにより、花卉が収容された容器１が開封されたか否かを容器１の上方側から連結部材４の規制部Ｒの破損状態を見ることにより容易に確認することができるため、容器１の中身の改ざん等の不正行為を防止し、商品の信頼性を高めることができ、購入者は空港等で再度検疫を受けることなく購入した花卉を手荷物として日本国内から出国することができる。
【００４３】
また、連結部材４は、箱体３の天井部３１に設けられる２つの孔部３１ａ，３１ａから外側にそれぞれ延出させた連結部材４の係止端部４２及び挿通端部４３を箱体３の上方で連結させているため、環状を成した連結部材４を把持することにより、容器１を持ち運ぶことができる（図４参照）。
【００４４】
尚、連結部材４を把持して容器１が持ち上げられた状態においては、連結部材４の固定部４１を介して台座２に対して上方に引き上げる力が作用することにより、台座２を上方から被覆するように嵌め合わされる箱体３は台座２とともに上方に引き上げられるため、容器１の開閉部分に対して台座２と箱体３とが上下方向に離間する力、すなわち、容器１を開封させる力が作用することがなく、持ち運びの際にも容器１が閉塞された状態を維持することができる。これによれば、容器１の開閉部分に貼り付けられたシール材５，５が誤って破損されることを防止できる。
【００４５】
また、盆栽１０は、載置部２２の略中央に設けられた孔部２２ｄ，２２ｄに通した結束バンド６により台座２に固定されるため、盆栽１０の荷重が台座２の略中央に集中し、連結部材４を把持して容器１を持ち運ぶ際にもバランスを取りやすくなっている。
【００４６】
また、容器１は、少なくとも箱体３が透明素材であるため、容器１の内部に収容された盆栽１０の枝ぶり、幹の曲がり、根張り等の鑑賞箇所を箱体３の外側から確認することができ、購入者の購買意欲を高めた状態で店頭に陳列することができる。
【実施例２】
【００４７】
次に、実施例２に係る容器につき、図５〜図７を参照して説明する。実施例２は、実施例１の容器の連結部材４の構成を変更し、連結部材４による台座２と箱体３との連結を容易に行えるようにしたものである。尚、前記実施例に示される構成部分と同一構成部分については同一符号を付して重複する説明を省略する。
【００４８】
図５に示されるように、本実施例における容器１０１は、略直方体状を成し、盆栽１０を載置可能な載置部１２２を有する台座１０２と、下方を開放する箱体１０３と、台座１０２と箱体１０３とを連結する連結部材１０４，１０４と、から主に構成され、台座１０２と箱体１０３との間に形成される収容空間Ｓに盆栽１０を収容可能となっている。
【００４９】
図６（ａ）に示されるように、箱体１０３の天井部１３１には、上下方向に貫通する左右一対の孔部１３１ａ，１３１ａが穿設されている。孔部１３１ａ，１３１ａは、円形状を成し、天井部１３１の左右の短尺辺の近傍にそれぞれ設けられ、箱体１０３の内部に連通している。
【００５０】
図６（ｂ）に示されるように、台座１０２は、ポリプロピレン樹脂製であり、平板状の基台部２１と、該基台部２１の上面２１ａから上方に突出する上面視長方形状の載置部１２２と、から主に構成され、側面視凸型を成している。
【００５１】
載置部１２２には、上面に相当する載置面１２２ａにおいて上下方向に貫通する孔部１２２ｂ，１２２ｂが穿設されている。孔部１２２ｂ，１２２ｂは、連結部材１０４，１０４の水平断面における径より若干太径であり、連結部材１０４，１０４を挿通可能となっている。
【００５２】
図６（ｂ）に示されるように、連結部材１０４，１０４は、アクリル樹脂製の棒状部材であり、台座１０２の載置部１２２に設けられる孔部１２２ｂ，１２２ｂに挿通された状態で下端を熱変形させることにより、連結部材１０４，１０４の下端に孔部１２２ｂ，１２２ｂよりも径が大きい規制部Ｒ’，Ｒ’が形成される。これによれば、連結部材１０４，１０４は、規制部Ｒ’，Ｒ’により孔部１２２ｂ，１２２ｂから上方への抜け出しが規制される。尚、連結部材１０４，１０４は、熱変形させた際に規制部Ｒ’，Ｒ’が台座１０２の載置部１２２の裏面に溶着されることにより台座１０２に対して固定されている。
【００５３】
また、連結部材１０４，１０４の上下方向の寸法は、箱体１０３の上下方向の寸法よりも長くなるように構成されており、台座１０２によって箱体１０３の開口３４が閉塞された状態において、連結部材１０４，１０４の先端をそれぞれ箱体１０３の天井部１３１に穿設された孔部１３１ａ，１３１ａを介して箱体１０３の上方（外側）に突出させることができるようになっている。
【００５４】
次いで、連結部材１０４，１０４を用いた台座１０２と箱体１０３との連結工程について図７を用いて詳しく説明する。
【００５５】
先ず、図７（ａ）に示されるように、台座１０２によって箱体１０３の開口３４を閉塞する際に、連結部材１０４，１０４の先端を箱体１０３の天井部１３１に形成された孔部１３１ａ，１３１ａにそれぞれ挿通させ、箱体１０３の天井部１３１の上方に突出させる。
【００５６】
次に、図７（ｂ）に示されるように、一方（左側）の連結部材１０４の先端に上方から高温のコテ１０７を押し当てて連結部材１０４の先端を熱変形させることにより、連結部材１０４の先端に孔部１３１ａよりも径が大きい規制部Ｒ（図７（ｃ）参照）を形成する。また、図７（ｃ）に示されるように、他方（右側）の連結部材１０４についても先端に上方から高温のコテ１０７を押し当てて連結部材１０４の先端を熱変形させることにより、規制部Ｒ（図７（ｄ）参照）を形成する。
【００５７】
以上説明したように、本実施例における容器１０１は、箱体１０３の外側に延出させた連結部材１０４，１０４の先端を熱変形させることにより、孔部１３１ａ，１３１ａを通して箱体１０３の収容空間Ｓに入らない連結部材１０４，１０４の規制部Ｒ，Ｒが形成される。これによれば、連結部材１０４，１０４の上端に形成される規制部Ｒ，Ｒ及び連結部材１０４，１０４の下端に形成される規制部Ｒ’，Ｒ’によって、容器１０１を上下から挟み込むようにして台座１０２と箱体１０３との上下方向への離間を規制し、容器１０１が閉塞された状態を維持することができる。そのため、容器１０１を開封するには、規制部Ｒ，Ｒを変形あるいは除去することにより連結部材１０４，１０４の上端を孔部１３１ａ，１３１ａに通す必要があるため、容器１０１を開封した痕跡を連結部材１０４，１０４に残すことができ、連結部材１０４，１０４の破損状態あるいは形状に基づいて容器１０１が開封されたか否かを容易に判別できる。
【００５８】
尚、容器１０１においては、連結部材１０４，１０４の下端に形成される規制部Ｒ’，Ｒ’を変形あるいは除去することにより連結部材１０４，１０４の下端を孔部１２２ｂ，１２２ｂに通しても容器１０１の開封が可能である。そのため、容器１０１の上方側から連結部材１０４，１０４の上端の規制部Ｒ，Ｒの破損状態あるいは形状を確認するだけで、容器１０１が開封されたか否かを容易に判別できるように、容器１０１の外側から連結部材１０４，１０４の下端の規制部Ｒ’，Ｒ’に直接アクセスできない構造としてもよく、例えば、台座１０２の載置部１２２を別体に構成し、基台部２１と載置部１２２との間に連結部材１０４，１０４の規制部Ｒ’，Ｒ’を挟み込むことで、容器１０１の外部に連結部材１０４，１０４の規制部Ｒ’，Ｒ’が露出しない構造にしてもよい。また、台座１０２と連結部材１０４，１０４とが分離しないように一体に成形してもよい。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例では、連結部材４は、全体が熱変形可能な素材であるポリプロピレン樹脂から構成される態様として説明したが、これに限らず、少なくとも箱体の外側に露出する係止端部の係止部が熱変形可能な素材であり、係止部が熱変形することにより係止端部と挿通端部とが一体に溶着可能であればよい。
【００６１】
また、箱体３の天井部３１に設けられる孔部３１ａ，３１ａは、天井部３１の左右端部に設けられ略長方形状を成す態様として説明したが、これに限らず、連結部材の端部を挿通させて箱体の外側に当該端部を露出させることができるものであれば、形状や位置等は自由に構成されてよい。
【００６２】
尚、箱体３の天井部３１に設けられる孔部３１ａ，３１ａ及び台座２の載置部２２に設けられる孔部２２ｄ，２２ｄは、連結部材４または結束バンド６が挿通可能な最低限の寸法が確保されていればよい。これによれば、容器１に盆栽１０が収容された状態において、容器１の収容空間Ｓから容器１の外部に水分が失われ難くなるため、例えば、植物検査合格証明書の有効期間、あるいはそれ以上の期間内において、盆栽１０に水やりを行うことなく品質を維持することができ、販売・運搬時における盆栽１０の品質管理を行いやすい。
【００６３】
また、連結部材４は、所定の強度を有し、熱変形可能な素材であれば、各種樹脂や金属等から構成されていてもよい。
【００６４】
また、シール材５，５は、台座２と箱体３とに亘って貼り付けられ容器１の開封部分を適切に封印できていれば、貼り付け位置や数等は自由に構成されてよい。
【００６５】
箱体３は、透明素材であれば、アクリル樹脂製に限らず、ガラス製のものであってもよい。また、少なくとも一部が透明素材から構成され、外側から容器の中身が確認できるものであれば、他の部分は透明に構成されていなくてもよい。
【００６６】
台座２に対する連結部材４の固定は熱溶着に限らず、強固に固定できるものであれば接着剤等によるものであってもよい。
【符号の説明】
【００６７】
１                容器
２                台座
３                箱体
４                連結部材
５                シール材
６                結束バンド
１０              盆栽
２２              載置部
３１              天井部
３１ａ            孔部
３４              開口
４１              固定部
４２              係止端部
４３              挿通端部
４４              係止部
Ｒ                規制部
Ｓ                収容空間
【図１】
2018047937.tif 000003
【図２】
2018047937.tif 000004
【図３】
2018047937.tif 000005
【図４】
2018047937.tif 000006
【図５】
2018047937.tif 000007
【図６】
2018047937.tif 000008
【図７】
2018047937.tif 000009